(57)【要約】端末が空間ランクインデックス（Ｓｐａｔｉａｌ  Ｒａｎｋ  Ｉｎｄｅｘ、ＳＲＩ）チャンネルを介してフィードバック情報を伝送する方法は、空間ランクインデックスの値を決定すること；及び事前に定義されたコーディングによって前記の決定された空間ランクインデックスの値を指示するフィードバック情報を前記空間ランクインデックスチャンネルを介して伝送すること；を含み、ここで、前記の事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つである。【選択図】図１
2013501448.tif 000002
【特許請求の範囲】
【請求項１】
端末が空間ランクインデックス（Ｓｐａｔｉａｌ  Ｒａｎｋ  Ｉｎｄｅｘ、ＳＲＩ）チャンネルを介してフィードバック情報を伝送する方法において、
空間ランクインデックスの値を決定すること；及び
事前に定義されたコーディングによって前記の決定された空間ランクインデックスの値を指示するフィードバック情報を前記空間ランクインデックスチャンネルを介して伝送すること；を含み、
前記事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とするランク情報伝送方法。
【請求項２】
前記の事前に定義されたコーディングは最小距離５を提供するように構成されたことを特徴とする、請求項１に記載のランク情報伝送方法。
【請求項３】
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、請求項１に記載のランク情報伝送方法。
【請求項４】
端末がコードワードを生成／伝送する方法において、
空間ランクの値に関する情報を決定すること；及び
前記の決定された情報を示すコードワードを生成すること；を含み、
前記の生成することは、（３，２）単純コードの第１のコードワード及び（５，２）縮小ハミングコードの第２のコードワードを結合して生成することを含むことを特徴とするコードワード生成／伝送方法。
【請求項５】
前記コードワードは、
（０，０，０，０，０，０，０，０）、（１，０，１，０，１，１，０，１）、（０，１，１，１，０，０，１，１）又は（１，１，０，１，１，１，１，０）のうちいずれか一つであることを特徴とする、請求項４に記載のコードワード生成／伝送方法。
【請求項６】
前記（３，２）単純コードの第１のコードワードは、
（０，０，０）、（１，０，１）、（０，１，１）、又は（１，１，０）のうちいずれか一つであり、
前記（５，２）縮小ハミングコードの第２のコードワードは、
（０，０，０，０，０）、（０，１，１，０，１）、（１，０，０，１，１）、又は（１，１，１，１，０）のうちいずれか一つであることを特徴とする、請求項４に記載のコードワード生成／伝送方法。
【請求項７】
前記空間ランクの値は、接続ネットワークによる使用のために端末に要請された特別レイヤーの数に関するものであることを特徴とする、請求項４に記載のコードワード生成／伝送方法。
【請求項８】
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、請求項４に記載のコードワード生成／伝送方法。
【請求項９】
空間ランクインデックス（Ｓｐａｔｉａｌ  Ｒａｎｋ  Ｉｎｄｅｘ、ＳＲＩ）チャンネルを介してフィードバック情報を伝送する端末装置において、
空間ランクインデックスの値を決定するように構成された制御部；及び
事前に定義されたコーディングによって前記の決定された空間ランクインデックスの値を指示するフィードバック情報を前記空間ランクインデックスチャンネルを介して伝送するように構成された送信機を含み、
前記事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とする端末装置。
【請求項１０】
前記の事前に定義されたコーディングは最小距離５を提供するように構成されたことを特徴とする、請求項９に記載の端末装置。
【請求項１１】
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、請求項９に記載の端末装置。
【発明の詳細な説明】
【技術分野】
【０００１】
本発明は、無線通信に関するもので、より詳細には、無線通信チャンネルでフィードバック情報を伝送することに関するものである。
【背景技術】
【０００２】
エラー訂正符号化（ｅｒｒｏｒ  ｃｏｒｒｅｃｔｉｏｎ  ｃｏｄｉｎｇ）の分野で、２進エラー訂正符号は［ｎ，ｋ，ｄ］コードと表示することができる。ここで、「ｎ」値は、コードの各コードワードの長さ（ビット）を示し、「ｋ」値は、各コードワードでコーディングされた各情報ビットの数を示し、「ｄ」は、コードワード間の最小距離を示す。［ｎ，ｋ，ｄ］は２進コードであるので、コードは合計２ｋ個のコードワードを有する。縮小された形態として、２進エラー訂正符号は［ｎ，ｋ］コードと称することもできる。
【０００３】
選択された二つのコードワード間の距離は、互いに異なるビット値を有する各ビットの数（あるいはビット位置）に対応する。２個のコードワード間の距離が（２ａ＋１）と同じかそれより大きいと（ここで、「ａ」は整数）、２個のコードワード間で「ａ」ビットエラーまで訂正することができる。例えば、コードの二つのコードワードが「１０１０１１」及び「１１００１０」であると、二つのコードワードで（左側端に位置した最上位ビットからカウンティングして）２番目、３番目及び６番目のビット位置は互いに異なるビット値を有するので、これら二つのコードワード間の距離は３である。距離が３であるので、１ビットエラーまで訂正することができる。
【０００４】
コードのコードワード間の距離の最小値はコードの最小距離と称する。最小距離は、コードの性能を評価するのに使用される典型的なメトリックである。最小距離が大きいほど、与えられたコードワードを他のコードワードに誤って解釈する確率が減少する。このように、最小距離が大きいことは、一般的に高い性能レベルを示す。コードが最小距離の最大化を提供する程度が高性能の尺度である。
【発明の概要】
【発明が解決しようとする課題】
【０００５】
本発明が達成しようとする技術的課題は、空間ランクインデックス（Ｓｐａｔｉａｌ  Ｒａｎｋ  Ｉｎｄｅｘ、ＳＲＩ）チャンネルを介してフィードバック情報を伝送する方法を提供することにある。
【０００６】
本発明が達成しようとする技術的課題は、空間ランクインデックス（Ｓｐａｔｉａｌ  Ｒａｎｋ  Ｉｎｄｅｘ、ＳＲＩ）チャンネルを介してフィードバック情報を伝送する端末装置を提供することにある。
【課題を解決するための手段】
【０００７】
前記の技術的課題を達成するための、本発明の一実施例に係る空間ランクインデックス（Ｓｐａｔｉａｌ  Ｒａｎｋ  Ｉｎｄｅｘ、ＳＲＩ）チャンネルを介してフィードバック情報を伝送する方法は、空間ランクインデックスの値を決定すること；及び事前に定義されたコーディングによって前記の決定された空間ランクインデックスの値を指示するフィードバック情報を前記空間ランクインデックスチャンネルを介して伝送すること；を含み、前記事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つである。
【０００８】
前記の技術的課題を達成するための、本発明に他の実施例に係る端末のコードワード生成／伝送方法は、空間ランクの値に関する情報を決定すること；及び前記の決定された情報を示すコードワードを生成すること；を含み、前記の生成することは、（３，２）単純コード（ｓｉｍｐｌｅｘ  ｃｏｄｅ）の第１のコードワード及び（５，２）縮小ハミングコード（ｓｈｏｒｔｅｎｅｄ  Ｈａｍｍｉｎｇ  ｃｏｄｅ）の第２のコードワードを結合して生成することを含む。
【０００９】
前記の技術的課題を達成するための、本発明の更に他の実施例に係る空間ランクインデックス（Ｓｐａｔｉａｌ  Ｒａｎｋ  Ｉｎｄｅｘ、ＳＲＩ）チャンネルを介してフィードバック情報を伝送する端末装置は、空間ランクインデックスの値を決定するように構成された制御部；及び事前に定義されたコーディングによって前記の決定された空間ランクインデックスの値を指示するフィードバック情報を前記空間ランクインデックスチャンネルを介して伝送するように構成された送信機；を含み、前記の事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つである。
【００１０】
これら実施例及び他の実施例は、以下で添付の図面を参照して記述する各実施例の詳細な説明から当業者に容易に理解されるだろう。本発明は、開示した特定実施例に限定されるものではない。
【発明の効果】
【００１１】
本発明によると、最大の最小距離を有するコードが提供され、通信性能をより向上させることができる。
【図面の簡単な説明】
【００１２】
【図１】ＭＩＭＯシステムで端末送信機によって具現される多様な動作の部分ブロック図である。
【図２】本発明の一実施例に係るＭＩＭＯシステムで端末送信機によって具現される多様な動作の部分ブロック図である。
【図３】本発明の一実施例に係る空間ランクインデックス（ＳＲＩ）を通してフィードバック情報を伝送するためのフローチャートである。
【図４】本発明の多様な実施例によって、端末で具現可能な詳細かつ多様なコンポーネントのブロック図である。
【発明を実施するための形態】
【００１３】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。他の実施例が利用可能であること、そして、手順的な変化のみならず、構造的、電気的な変化が本発明の範囲を逸脱せずになされることは当業者にとって自明である。可能な限り、明細書全体にわたって同一又は類似した部分には同一の参照番号を使用する。
【００１４】
本明細書において、多様な実施例は、無線通信ネットワークと、高速、高容量データ伝送のために最適化された高速伝送率パケットデータ（Ｈｉｇｈ  Ｒａｔｅ  Ｐａｃｋｅｔ  Ｄａｔａ、ＨＲＰＤ）プロトコルによって構成された関連エンティティと関連して記述される。しかし、このような具現の他の実施例も考慮することができ、ＨＲＰＤプロトコルに関する内容（ｔｅａｃｈｉｎｇ）は、一般的に無線インターフェースのみならず、他の標準でも適用可能である。また、多様な実施例を記述するための特定用語の使用は、ＨＲＰＤのように無線通信システムの特定タイプの実施例に制限する。多様な実施例は、無線インターフェース及び／又は物理レイヤー（例えば、周波数分割多重接続（ＦＤＭＡ）、時分割多重接続（ＴＤＭＡ）、コード分割多重接続（ＣＤＭＡ）、広帯域ＣＤＭＡ（Ｗ−ＣＤＭＡ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＵＭＴＳのＬＴＥ（Ｌｏｎｇ  Ｔｅｒｍ  Ｅｖｏｌｕｔｉｏｎ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）を含む）を用いて他の無線通信システムに適用することができる。一つの例のみに限定しない方法で、より多くの内容の記述がＨＲＰＤ通信システムに関するものになるだろう。しかし、このような開示は、他のシステム形態にも同一に適用することができる。
【００１５】
さらに、本発明の特別な実施例は、ＨＲＰＤシステム（例えば、ＨＲＰＤ  ｒｅｖｉｓｉｏｎ  Ｃによって構成されたシステム）で空間ランク情報を運ぶためのエラー訂正符号化方式を提供する。
【００１６】
ＨＲＰＤプロトコルは、例えば、端末からデータを伝送するにおいて、ＣＤＭＡ技術、時分割多重化（Ｔｉｍｅ  Ｄｉｖｉｓｉｏｎ  Ｍｕｌｔｉｐｌｅｘｉｎｇ、ＴＤＭ）技術に適用することができる。データ伝送率の増加及びデータ容量の改善とともに、ＨＲＰＤシステムは、無線インターネット接続、実時間ロード（ｒｏａｄ）トラフィック情報、無線生放送、映画及びゲームなどの多様な技術的応用分野でマルチメディアコンテンツを提供することができる。
【００１７】
ＨＲＰＤプロトコルのｒｅｖｉｓｉｏｎ  Ｃで、多重入力多重出力（Ｍｕｌｔｉｐｌｅ  Ｉｎｐｕｔ  Ｍｕｌｔｉｐｌｅ  Ｏｕｔｐｕｔ、ＭＩＭＯ）方式が含まれる。一般に、ＭＩＭＯは、送信機及び受信機の両方で多重アンテナの使用と関連したものである。このように、ＭＩＭＯは、チャンネルのフェーディング環境によって誘発する性能劣化を減少させるためにダイバーシティ利得を増加させるときに使用することができる。また、ＭＩＭＯは、多重レイヤー又は多重ストリーム伝送と関連している。このように、ＭＩＭＯは、与えられたチャンネルでデータ伝送率を増加させるときに使用することができる。単一送／受信アンテナを用いる単一入力単一出力（Ｓｉｎｇｌｅ−Ｉｎｐｕｔ  Ｓｉｎｇｌｅ−Ｏｕｔｐｕｔ、ＳＩＳＯ）に比べて、ＭＩＭＯシステムは、周波数帯域幅を増加せずにも大きな容量のデータを伝送することができる。
【００１８】
ＭＩＭＯシステムで、チャンネルは多数の独立チャンネルに分解することができる。例えば、送信アンテナの数がＮｔ、受信アンテナの数がＮｒであるとき、独立チャンネルの最大数Ｎｉは、Ｎｔ及びＮｒと同じであるかそれより小さい。各独立チャンネルは空間レイヤーと称することができる。
【００１９】
多重化され得る空間ストリームの数はＭＩＭＯチャンネル行列で表現することができ、ランクは、このようなＭＩＭＯチャンネル行列で０でない固有値の個数と定義することができる。また、ランクは、各独立チャンネルの数と定義することができる。例えば、システムのランクが１であると、１個の空間ストリームを空間レイヤー上で伝送することができ、ランクが２であると、２個の独立ストリームを２個の空間レイヤー上で同時に伝送することができ、ランクがｋであると、ｋ個の独立ストリーム（例えば、互いに異なる伝送率を有するｋ個のストリーム）をｋ個の空間レイヤー上で伝送することができる。
【００２０】
多重アンテナに対する利得を得るために、端末で提供するチャンネル−依存フィードバックは、多重アンテナ伝送方式を調整するように使用することができる。
【００２１】
ＭＩＭＯ方式を順調に動作させるためには、送信側（例えば、基地局）でチャンネル状態情報を利用しなければならない。このようなチャンネル状態情報は、受信側（例えば、端末）のみで測定できるので、送信機が受信機にフィードバックしなければならない。チャンネル状態情報は、多様な方式で伝送することができる。例えば、チャンネル状態情報は、ダイレクトチャンネル量子化を通してフィードバックすることができる。このようなダイレクトチャンネルフィードバックによって送信機がチャンネルをより完璧に知ることができれば、送信機はチャンネル状態によって伝送モードを決定することができる。
【００２２】
他の例として、チャンネル状態情報は、変調及びコーディング方式（Ｍｏｄｕｌａｔｉｏｎ  Ｃｏｄｉｎｇ  Ｓｃｈｅｍｅ、ＭＣＳ）、ランク、プリコーディング行列などの伝送モード関連方式を用いてフィードバックすることができる。送信機は、受信機からエラーなしにフィードバックされたＭＣＳ、ランク及びプリコーディング行列を受け、報告情報を受信した後、フィードバックされたＭＣＳ、ランク及びプリコーディング行列を直接使用することができる。
【００２３】
したがって、ＭＣＳ、ランク及びプリコーディング行列の報告は、チャンネルフィードバックを提供するための効率的な手段として機能するようになる。
【００２４】
ＨＲＰＤプロトコルのｒｅｖｉｓｉｏｎ  Ｃで、チャンネルは、ランク及びプリコーディング行列などのＭＩＭＯ−関連フィードバックを伝送するように導入された。例えば、空間ランクチャンネル（Ｓｐａｔｉａｌ  Ｒａｎｋ  Ｃｈａｎｎｅｌ、ＳＲＣ）は、ランクフィードバックを提供するのに使用され、空間シグネチャチャンネル（Ｓｐａｔｉａｌ  Ｓｉｇｎａｔｕｒｅ  Ｃｈａｎｎｅｌ、ＳＳＣ）は、プリコーディングインデックスを提供するのに用いられる。
【００２５】
ここで、プリコーディングは、空間シグネチャ（Ｓｐａｔｉａｌ  Ｓｉｇｎａｔｕｒｅ）、プリフィルタリング（ｐｒｅｆｉｌｔｅｒｉｎｇ）などのように称することもできる。また、ＭＣＳは、非−ＭＩＭＯ（又はＳＩＳＯ）システムでのＨＲＰＤ  ｒｅｖｉｓｉｏｎ  Ｂまで、そして、ＭＩＭＯシステムでのＨＲＰＤ  ｒｅｖｉｓｉｏｎ  Ｃまでにおいて全て共通している。ＭＣＳは、重要な変化なしに既存のＤＲＣ（Ｄｉｒｅｃｔ  Ｒａｔｅ  Ｃｏｎｔｒｏｌ）チャンネルを介して伝送することができる。
【００２６】
図１と関連して、空間ランク及び空間シグネチャを含む情報をエンコードして変調するように構成されたＭＩＭＯシステムで、端末送信機などの送信エンティティ（ｔｒａｎｓｍｉｔｔｉｎｇ  ｅｎｔｉｔｙ）で多様な動作を具現することができる。以下では、これを図１と関連して説明する。空間ランク及び空間シグネチャ情報は、４個の送信アンテナを採用したシステムに関して記述される。２個の送信アンテナのみを採用するシステムでは、４個の送信アンテナを採用したシステムとは特定パラメーターが異なることが分かる。例えば、４個の送信アンテナを採用したシステムに比べて、２個のアンテナのみを採用したシステムは、空間ランク及び空間シグネチャ情報を運ぶために必要なビット数が異なり得る。
【００２７】
図１と関連して、端末の送信機は、４個の送信アンテナを採用したシステムに対して４−ビット空間シグネチャと２−ビット空間ランクをエンコードして変調するように構成される。送信機は、Ｉ−Ｂｒａｎｃｈ（Ｉｎ−Ｐｈａｓｅ  ｂｒａｎｃｈ）１０及びＱ−Ｂｒａｎｃｈ（Ｑｕａｄｒａｔｕｒｅ  Ｂｒａｎｃｈ）１５を含む。Ｉ−Ｂｒａｎｃｈ１０は、２進直交エンコーダー（Ｂｉ−Ｏｒｔｈｏｇｏｎａｌ  Ｅｎｃｏｄｅｒ）１０１、コードワードウォルシュカバー（Ｗ０２）コンポーネント１０２、信号ポイントマッパー（Ｓｉｇｎａｌ  Ｐｏｉｎｔ  Ｍａｐｐｅｒ）１０３、空間シグネチャチャンネル（ＳＳＣ）利得要素１０４、リピーター（ｘ８）１０５及び変調器１０６を含む。Ｑ−Ｂｒａｎｃｈ１５は、２進直交エンコーダー（Ｂｉ−Ｏｒｔｈｏｇｏｎａｌ  Ｅｎｃｏｄｅｒ）１５１、コードワードウォルシュカバー（ＷＯ２）コンポーネント１５２、信号ポイントマッパー１５３、ＤＲＣ（Ｄｉｒｅｃｔ  Ｒａｔｅ  Ｃｏｎｔｒｏｌ）チャンネル利得要素１５４、変調器１５５、１５６、及びウォルシュカバー（Ｗｉ８）コンポーネント１５７を含む。また、Ｑ−Ｂｒａｎｃｈ１５は、リピーター（ｘ４）１５８、コードワードウォルシュカバー（Ｗ１２）１５９、信号ポイントマッパー１６０、空間ランクチャンネル（ＳＲＣ）利得要素１６１、リピーター（ｘ８）１６２及び加算器１６３を含む。
【００２８】
図１を参照すると、４−ビットＳＳＣシンボルがＩ−Ｂｒａｎｃｈ１０に入力される。２−ビットＳＲＳシンボル及び４−ビットＤＲＣシンボルがＱ−Ｂｒａｎｃｈ１５に入力される。ＳＲＣシンボルは２ビットの長さであるので、シンボルは４個までの個別空間ランク値（ｄｉｓｔｉｎｃｔ  ｓｐａｔｉａｌ  ｒａｎｋ  ｖａｌｕｅｓ）（例えば、０から３までの空間ランク値、１から４までの空間ランク値など）を載せて運ぶことができる。これと同様に、ＳＳＣシンボルは４ビットの長さであるので、１６個の個別空間シグネチャまでサポートすることができる。これら空間シグネチャは、システムで各個別セクターで事前に定義されているか、接続設定時に交渉される。本発明の多様な実施例によって、９から１５までのナンバリングした個別空間シグネチャセットを事前に定義又は交渉することができる。
【００２９】
上述したように、２−ビットＳＲＣシンボルはＱ−Ｂｒａｎｃｈ１５に入力される。より詳細に説明すると、２−ビットＳＲＣシンボルは、コードワードウォルシュカバー（Ｗ１２）コンポーネント１５９によって拡散される前にリピーター（ｘ４）１５８に入力される。リピーター１５８は、２ビットのＳＲＣシンボルを連続的に４回反復して８−ビットコードワードを生成する。例えば、２ビットＳＲＣシンボル「００」は、リピーター１５８によって反復されてコードワード「００００００００」に生成される。これと同様に、２ビットＳＲＣシンボル「０１」は、リピーター１５８によって反復されてコードワード「０１０１０１０１」に生成される。
【００３０】
２ビットＳＲＣシンボルの全ての可能な値に対してリピーター１５８が生成したコードワードは、次の表１に示す通りである。本質的に、リピーター１５８は、コードワードを生成するにおいて（８，２）２進コーディング方式のタイプを具現する。表１に示したコーディング方式の最小距離は４ビットである。このように、リピーター４４８で具現されたコーディング方式は４ビットの最小距離を提供する。
【００３１】
【表１】
2013501448.tif 000003
＜表１．ＳＲＣ反復エンコーディング（Ｒｅｐｅｔｉｔｉｏｎ  Ｅｎｃｏｄｉｎｇ）＞
前記の記述した（８，２）反復コーディング方式は、多様な測定によって決定されるように最適でない場合がある。一つの測定値は、コードワード間の最小距離である。コードワード間の最小距離が大きいほど、エラー訂正能力がより強くなる。このように、本発明の各実施例は、図１及び表１と関連して記述した（８，２）反復コードに関してより大きな最小距離（その結果、エラー訂正能力が強くなる）を提供する（８，２）コードを提供するように提案された。特別な実施例として、４個までの個別空間ランク値（例えば、４個の送信アンテナを採用したシステムでの使用のために）を載せて運ぶための（８，２）コードなどを提供するように提案することができる。
【００３２】
本発明の一実施形態によって、最小距離の最大値を得ることができる。与えられた各コードのセットに対してこの値を決定することと関連し、以下ではプロトキン限界（Ｐｌｏｔｋｉｎ  ｂｏｕｎｄ）について記述する。プロトキン限界は、最小距離、各コードワードの数及び各コードワードのビット長さ間の関係を説明する。プロトキン限界は、公知の技術であり、例えば、Ｊｏｈｎ  Ｇ．Ｐｒｏａｋｉｓによって発行されたＷｉｌｅｙ  Ｉｎｔｅｒｓｃｉｅｎｃｅ、Ｎｅｗ  Ｊｅｒｓｅｙ、２００３、ｖｏｌ．２、ｐｐ  ９２９−９３５での「Ｗｉｌｅｙ  Ｅｎｃｙｃｌｏｐｅｄｉａ  ｏｆ  Ｔｅｌｅｃｏｍｍｕｎｉｃａｔｉｏｎｓ」に記述されている。
【００３３】
一般的な２進［ｎ，ｋ，ｄ］コード（ｎは一つのコードワードのビット数、ｋはそのコードワードによって伝達される情報のビット数、ｄは各コードワード間の最小距離）を仮定すると、プロトキン限界は、次の数学式１のように表現することができる。
【００３４】
【数１】
2013501448.tif 000004
これと異なり、プロトキン限界は、次の数学式２のように表現することができる。数学式２は、最小距離の値の限界をより明確に表現している。
【００３５】
【数２】
2013501448.tif 000005
前記数学式１及び数学式２に基づいて、（８，２）コード間での最大距離は５ビットに計算することができる。次の数学式３は、（８，２）コードである場合に対する計算を示している。
【００３６】
【数３】
2013501448.tif 000006
しかし、上述したように、表１（及び図１のリピーター４４８で具現）に示したコーディング方式の最小距離は４ビットに過ぎない。４ビットの最小距離は、プロトキン限界を用いて計算した最大距離５ビットより小さい。このように、本発明の各実施例は、コーディング方式を用いたり設計し、表１の反復エンコーディング方式に関する性能を改善する方法を提供する。すなわち、本発明の一実施例は、（８，２）コードを用いたり設計し、各コードワードは５ビットの最大の最小距離（ｍａｘｉｍａｌ  ｍｉｍｉｎｕｍ  ｄｉｓｔａｎｃｅ）を提供する。
【００３７】
エラー訂正能力と関連して、所定のコードの最小距離が（２ａ＋１）と同じかそれより大きいと（ここで、「ａ」は整数）、「ａ」ビットエラーまで訂正することができる。このような公式下で、表１の反復エンコーディング方式では最小距離が４ビットであるので、結果的に、１ビットエラーまで訂正することができる。これと異なり、５ビットの最小距離を提供するコードの場合、２ビットエラーまで訂正することができる。訂正可能なビットエラーの数の増加は、表１の反復エンコーディング方式と関連した相当な改善点を反映している。
【００３８】
本発明の一実施形態によって、（８，２）コードは、単純コード（ｓｉｍｐｌｅｘ  ｃｏｄｅ）及び縮小されたハミングコード（ｓｈｏｒｔｅｎｅｄ  Ｈａｍｍｉｎｇ  ｃｏｄｅ）を用いて設計される。
情報ビットの数が２個である［ｎ，２］コード分野に属する例として、（３，２）単純コードがある。一般に、単純コードは（ｎ，ｋ）と示すことができる（ここで、ｎ＝２ｋ−１）。このように、情報ビットの数が２であると、ｎ＝２×（２）−１＝３で、該当の単純コードは（３，２）単純コードである。（３，２）単純コードの一例としての各コードワードを次の表２に示している。
【００３９】
【表２】
2013501448.tif 000007
＜表２．（３，２）単純コードの例＞
プロトキン限界の上限を充足させるという意味で、各単純コードが最適である。例えば、前記表２に示した（３，２）単純コードは、最大の最小距離２を得ることができる。各コードワードの個別ビットが行列（例えば、４×３行列）の形態で入ると、一つの行列の列の各エントリーが他の行列の列の各エントリーと交換（ｓｗａｐ）されること（又は、一つの行列の行の各エントリーが他の行列の行の各エントリーと交換されること）は、コーディング性能の側面で最小距離に影響を与えない（すなわち、同一のコーディング性能が提供される）。また、１から０に又は０から１にコードワードビットの値を変更することも、コーディング性能の側面で影響を与えない。
【００４０】
さらに、各情報値及び各コードワード間のマッピングを変更することも、コーディング性能に影響を与えない。例えば、前記表２で、ＳＲＣ値「０ｘ０」がコードワード「１０１」にマッピングされ、ＳＲＣ値「０ｘ１」がコードワード「０００」にマッピングされると、コーディング性能には影響を与えない。したがって、表２は、（３，２）単純コードの一例及びこのようなコードの多様な変化が適切であり得ることを示す。
【００４１】
また、情報ビットの数が２個である（ｎ，２）コード分野に属する例として、（５，２）縮小ハミングコードが以下で記述される。しかし、各ハミングコードに関する選択された一般的な情報が先に記述されるだろう。一般に、［ｎ，ｋ，ｄ］２進ハミングコードは、下記の表３のように定義された特性を有する。
【００４２】
【表３】
2013501448.tif 000008
＜表３．ハミングコードの特性＞
相対的に短い長さを有するハミングコードの代表的な一例として、（７，４）ハミングコードがある。このようなハミングコードは、下記の表４に示すような特性を満足するように縮小されたハミングコードである。
【００４３】
【表４】
2013501448.tif 000009
＜表４．縮小されたハミングコードの特性＞
前記表４に示した特性に基づいて、l＝２と仮定すると、（７，４）ハミングコードは（５，２）縮小ハミングコードに縮小することができる。（５，２）縮小ハミングコードの例を表５に示している。
【００４４】
【表５】
2013501448.tif 000010
＜表５．（５，２）縮小ハミングコードの例＞
表４に示したように、前記縮小ハミングコードは、少なくとも３の最小距離を提供する。表５での（５，２）縮小ハミングコードの例は最小距離３を提供する。表２の（３，２）単純コードと関連して上述した変化と同様に、表５の（５，２）縮小ハミングコードの各コードワードの特定変化はコードのコーディング性能に影響を及ぼさない。例えば、各コードワードの個別ビットが行列（例えば、４×５行列）の形態で入ると、一つの行列の列の各エントリーが他の行列の列の各エントリーと交換されること（又は、一つの行列の行の各エントリーが他の行列の行の各エントリーと交換されること）は、コーディング性能の側面で最小距離に影響を与えない（すなわち、同一のコーディング性能が提供される）。また、１から０に又は０から１にコードワードビットの値を変更することも、コーディング性能の側面で影響を与えない。
【００４５】
さらに、各情報値及び各コードワード間のマッピングを変更することも、コーディング性能に影響を与えない。例えば、前記表５で、ＳＲＣ値「０ｘ０」はコードワード「０００００」にマッピングされ、ＳＲＣ値「０ｘ１」はコードワード「０１１０１」にマッピングされる。ＳＲＣ値「０ｘ０」がコードワード「０１１０１」にマッピングされ、ＳＲＣ値「０ｘ１」がコードワード「０００００」にマッピングされるようにマッピングが変更されるとしても、コーディング性能には影響がない。したがって、表５は、（５，２）縮小されたハミングコードの一例及びこのようなコードの多様な変更が適切であり得ることを示す。
【００４６】
本発明の一実施形態として、（８，２）コードのコードワードは、（３，２）単純コード（例えば、表２の（３，２）単純コード）のコードワードと（５，２）縮小ハミングコード（例えば、表５の（５，２）縮小ハミングコード）を用いて設計することができる。
【００４７】
本発明の特別な実施形態として、（８，２）コードの各コードワードは、（３，２）単純コードの各コードワードと（５，２）縮小ハミングコードの各コードワードを結合して形成することができる。例えば、ＳＲＣ値「０ｘ１」に対して、（８，２）コードのコードワードは、（３，２）単純コードの該当のコードワード（すなわち、「１０１」）と（５，２）縮小ハミングコードの該当のコードワード（すなわち、「０１１０１」）を結合して「１０１０１１０１」のコードワードに形成される。すなわち、（８，２）コードの各コードワードは、２個のコード（すなわち、（３，２）単純コードと（５，２）縮小ハミングコード）を結合して生成する。例えば、ＳＲＣ値「０ｘ２」に対して、（８，２）コードのコードワードは、（３，２）単純コードの該当のコードワード（すなわち、「０１１」）と（５，２）縮小ハミングコードの該当のコードワード（すなわち、「１００１１」）を結合して「０１１１００１１」のコードワードに形成される。このような結果による（８，２）コードのコードワードは、次の表６のように示すことができる。
【００４８】
【表６】
2013501448.tif 000011
＜表６．（３，２）単純コードと（５，２）縮小ハミングコードを結合して生成した（８，２）コードの例＞
表６の各コードワードと関連して、各コードワードの最初の３ビット（すなわち、ＭＳ（Ｍｏｓｔ  Ｓｉｇｎｉｆｉｃａｎｔ）３ビット）は、表２の各コードワードから生じたもので、残りの５ビット（すなわち、ＬＳ（Ｌｅａｓｔ  Ｓｉｇｎｉｆｉｃａｎｔ）５ビット）は、表５の各コードワードから生じたものであることが分かる。表６の（８，２）コードの各コードワードが（８，２）コード間に最大の最小距離（すなわち、５ビットの距離）を提供するので、（８，２）コードは最適の性能を提供する。
【００４９】
（３，２）単純コードと（５，２）縮小ハミングコードと関連して上述したように、これらコードの多様な変更は、コーディング性能に否定的な影響を与えない状態で可能である。同様に、表６の（８，２）コードに多様な変更があり得る。例えば、各コードワードの個別ビットが行列（例えば、４×８行列）の形態で入ると、一つの行列の列の各エントリーが異なる行列の列の各エントリーと交換されること（又は、一つの行列の行の各エントリーが他の行列の行の各エントリーと交換されること）は、コーディング性能の側面で最小距離に影響を与えない（すなわち、同一のコーディング性能が提供される）。また、１から０に又は０から１にコードワードビットの値を変更することも、コーディング性能の側面で影響を与えない。
【００５０】
さらに、各情報値及び各コードワード間のマッピングを変更することも、コーディング性能に影響を与えない。例えば、前記表６で、ＳＲＣ値「０ｘ０」はコードワード「００００００００」にマッピングされ、ＳＲＣ値「０ｘ１」はコードワード「１０１０１１０１」にマッピングされる。ＳＲＣ値「０ｘ０」がコードワード「１０１０１１０１」にマッピングされ、ＳＲＣ値「０ｘ１」はコードワード「００００００００」にマッピングされるようにマッピングが変更されるとしても、コーディング性能には影響がない。したがって、表６は、（８，２）縮小されたハミングコードの一例及びこのようなコードの多様な変更が適切であり得ることを示す。また、表２の（３，２）単純コード及び／又は表５の（５，２）縮小ハミングコードは、（上述したように）変更することができ、（８，２）コードを形成するために結合することができる。このように、本発明の各実施例によって、表６の（８，２）コードの多数の変更が適切になり得る。
【００５１】
本発明の一実施例として、表６の（８，２）コードの一つの変化は、下記の表７に示した通りである。表６のコードと同様に、表７のコードは、最大の最小距離５を提供する。表６の各コードワードと関連して、表７の各コードワードは、上述したような列交換演算（ｃｏｌｕｍｎ  ｓｗａｐ  ｏｐｅｒａｔｉｏｎｓ）を行うことによって形成することができる。すなわち、表７の各コードワードは、各コードワードの４番目及び５番目のＭＳＢ（Ｌｅａｓｔ  Ｓｉｇｎｉｆｉｃａｎｔ  Ｂｉｔ）を２個のＬＳＢポジションに効率的に移動（あるいはシフティング）して形成することができる。
【００５２】
【表７】
2013501448.tif 000012
＜表７．表６の（８，２）コードの変化例＞
表７の（８，２）コードは、表２の（３，２）単純コードを２回反復し、２回反復された結果のコードワードを２個の該当の情報ビットと結合して形成されたものと言える。例えば、ＳＲＣ値「０ｘ１」に対して、コードワード「１０１１０１０１」は、表２の該当のコードワード（すなわち、「１０１」）を２回反復し、２回反復された「１０１１０１」コードワードと２個の該当の情報ビット「０１」を結合して形成される。
【００５３】
本発明の他の実施例として、表６の（８，２）コードの他の変化を下記の表８のように示している。
【００５４】
表６のコードと同様に、表８のコードは最大の最小距離５を提供する。
【００５５】
【表８】
2013501448.tif 000013
＜表８．表６の（８，２）コードからの変化の他の例＞
本発明の他の実施例として、表６のコードの他の変化は、下記の表９に示したコーディング方式である。このような変化は、表８から２段階を経て形成される。第１の段階は、３番目から５番目のビットにかけて１ずつ下に循環的に列をシフトすることであって、特定ビットである３番目から５番目の列ビットを表８での次の行に移動させることを意味する。第２の段階は、６番目から８番目のビットにかけて２ずつ下に循環的に列をシフトすることであって、６番目から８番目の列ビットは、表８で２行下のコードワードに再びマッピングされる。
【００５６】
表９のコードと関連して、可能な限り、各コードワード間に公平に分散させるために特別な努力がなされた。
【００５７】
【表９】
2013501448.tif 000014
＜表９．表６での（８，２）コードからの変化の一例＞
上述したように、本発明の各実施例が表６の（８，２）コードの変化を含んでいることを理解できるだろう。このような変化の各例示を表７〜表９に示した。説明の便宜上、表６の（８，２）コードの追加的な変化は記述しない。
【００５８】
本発明の一実施例で、ＭＩＭＯシステムにおける端末の送信機でのエンコーダーは、表６（あるいは表７、表８、表９、又はここでの適切な変化）の方式のようなコーディング方式に従って各情報ビット（例えば、空間ランクに関する情報）をエンコードするように構成される。このような送信機の一実施例は、図２と関連付けて説明する。
【００５９】
図２と関連して、ＭＩＭＯシステムでの端末の送信機部分は、空間ランク及び空間シグネチャを含む情報をエンコードして変調するように構成される。図２と関連して、以下で、空間ランク及び空間シグネチャ情報は、４個の送信アンテナを採用したシステムを参照して記述する。ただし、２個の送信アンテナのみを採用したシステムでの特定パラメーターは４個の送信アンテナを採用したシステムとは異なり得る。例えば、４個の送信アンテナを採用したシステムに比べて、２個のアンテナのみを採用したシステムは、空間ランク及び空間シグネチャ情報を載せて運ぶために必要なビット数が互いに異なり得る。
【００６０】
図２と関連して、端末４０の送信機（例えば、図４の移動通信モジュール４１３又は制御器４８０）は、４個の送信アンテナを採用しているシステムに対して４−ビット空間シグネチャ及び２−ビット空間ランクをエンコードして変調するように構成される。
【００６１】
送信機は、Ｉ−Ｂｒａｎｃｈ（Ｉｎ−Ｐｈａｓｅ  ｂｒａｎｃｈ）１０及びＱ−Ｂｒａｎｃｈ  （Ｑｕａｄｒａｔｕｒｅ  Ｂｒａｎｃｈ）１５’を含む。Ｉ−Ｂｒａｎｃｈ１０は、２進直交エンコーダー（Ｂｉ−Ｏｒｔｈｏｇｏｎａｌ  Ｅｎｃｏｄｅｒ）１０１、コードワードウォルシュカバー（Ｗ０２）コンポーネント１０２、信号ポイントマッパー１０３、空間シグネチャチャンネル（ＳＳＣ）利得要素１０４、リピーター（ｘ８）１０５及び変調器１０６を含む。Ｑ−Ｂｒａｎｃｈ１５は、２進直交エンコーダー（Ｂｉ−Ｏｒｔｈｏｇｏｎａｌ  Ｅｎｃｏｄｅｒ）１５１、コードワードウォルシュカバー（Ｗ０２）コンポーネント１５２、信号ポイントマッパー１５３、ＤＲＣ（Ｄｉｒｅｃｔ  Ｒａｔｅ  Ｃｏｎｔｒｏｌ）チャンネル利得要素１５４、変調器１５５、１５６及びウォルシュカバー（Ｗｉ８）コンポーネント１５７を含む。また、Ｑ−Ｂｒａｎｃｈ１５は、リピーター（ｘ４）１５８、コードワードウォルシュカバー（Ｗ１２）１５９、信号ポイントマッパー１６０、空間ランクチャンネル（ＳＲＣ）利得要素１６１、リピーター（ｘ８）１６２及び加算器１６３を含む。
【００６２】
図２を参照すると、４−ビットＳＳＣシンボルがＩ−Ｂｒａｎｃｈ１０に入力される。２−ビットＳＲＳシンボル及び４−ビットＤＲＣシンボルがＱ−Ｂｒａｎｃｈ１５’に入力される。ＳＲＣシンボルは２ビット長さであるので、シンボルは、４個までの個別空間ランク値（例えば、０から３までの空間ランク値、１から４までの空間ランク値など）を載せて運ぶことができる。これと同様に、ＳＳＣシンボルは、４ビット長さであるので、１６個の個別空間シグネチャまでサポートすることができる。これら空間シグネチャは、システムにおいて各個別セクターで事前に定義されているか、接続設定時に交渉される。本発明の多様な実施例によって、９から１５までのナンバリングした個別空間シグネチャセットを事前に定義又は交渉することができる。
【００６３】
上述したように、２−ビットＳＲＣシンボルはＱ−Ｂｒａｎｃｈ１５’に入力される。より詳細に説明すると、２−ビットＳＲＣシンボルは、コードワードウォルシュカバー（Ｗ１２）コンポーネント１５９によって拡散される前にエンコーダー１６８に入力される。エンコーダー１６８は、表６（又は、表７、表８、表９、又は適切な各変化例）のようなコーディング方式に従って２ビットのＳＲＣシンボルをエンコードするように構成される。例えば、表６のようなコーディング方式に従って２ビットのＳＲＣシンボルをエンコードするように構成されたエンコーダーが備えられた特別な実施例として、２ビットＳＲＣシンボル「００」は、エンコーダー１６８によって「００００００００」のようなコードワードにエンコードされる。これと同様に、２ビットＳＲＣシンボル「０１」は、エンコーダー１６８によって「１０１０１１０１」のようなコードワードにエンコードされる。他の実施例として、エンコーダー１６８は、表６のコーディング方式（又は、表７のコーディング方式、表８のコーディング方式、表９のコーディング方式、上述した表６のコーディング方式を変更することによって生成されたコーディング方式）の適切な変更によって２−ビットＳＲＣシンボルをエンコードするように構成される。
【００６４】
本質的に、エンコーダー１６８は、コードワードを生成するにおいて（８，２）２進コーディング方式を具現する。コーディング方式の最小距離は５ビットである。このように、エンコーダー１６８で具現されたコーディング方式は、５ビットの最小距離を提供する。したがって、エンコーダー１６８で具現されたコーディング方式は、プロトキン限界によって最大の最小距離を得ることができる。
【００６５】
図２と関連して記述された実施例は、ＨＲＰＤ  ｒｅｖｉｓｉｏｎ  Ｃで４個の送信アンテナを採用したシステムに使用することができる。上述した各実施例は、空間ランク報告のフィードバック性能を強化させることができる。図１のシステムと異なり、図２と関連した実施例は、リピーター（ｘ８）１５８よりはエンコーダー１６８を採用し、入力ＳＲＣシンボルを受信してエンコードする。
【００６６】
図１と関連して、２−ビットランク情報は、コードワードウォルシュカバー（Ｗ１２）１５９で長さ２でのウォルシュコード拡散前にリピーター１５８で４回反復される。長さ２でウォルシュコードを拡散することは、ＳＲＣチャンネル及びＤＲＣチャンネルの両方で共通しており、図１のリピーター１５８を図２のエンコーダー１６８に取り替えたことは、これらシステムの全体的な構造に影響を与えない。このように、既存のチャンネル構造及び新しく設計されたチャンネルの多様な様相が相当変更されずに残存するようになる。
【００６７】
図３と関連して、以下では、空間ランクインデックス（ＳＲＩ）チャンネルを介してフィードバック情報を伝送する方法を記述する。４１０段階で、空間ランクインデックスの値は端末（ｍｏｂｉｌｅ  ｓｔａｔｉｏｎ  ｏｒ  ａｃｃｅｓｓ  ｔｅｒｍｉｎａｌ）で決定される。４２０段階で、決定された空間ランクインデックスの値を指示するフィードバック情報は、事前に定義されたコーディングによって伝送される。本発明の特別な実施例として、前記の事前に定義されたコーディングは、表６のコーディング方式に該当する。
【００６８】
図４は、本発明の多様な実施例に係る端末４０で具現可能な多様な構成要素を詳細に示したブロック図である。図４に示したものより多いか少ない構成要素を具現することができる。
【００６９】
図４を参照すると、端末４０（ｍｏｂｉｌｅ  ｓｔａｔｉｏｎ  ｏｒ  ａｃｃｅｓｓ  ｔｅｒｍｉｎａｌ）は、無線通信部４１０、Ａ／Ｖ（Ａｕｄｉｏ／Ｖｉｄｅｏ）入力部４２０、ユーザー入力部４３０、センシング部４４０、出力部４５０、メモリ４６０、インターフェース部４７０、制御器（制御部）４８０及び電源供給部４９０などを含むことができる。無線通信部４１０、Ａ／Ｖ（Ａｕｄｉｏ／Ｖｉｄｅｏ）入力部４２０、ユーザー入力部４３０、センシング部４４０、出力部４５０、メモリ４６０、インターフェース部４７０、制御器（制御部）４８０及び電源供給部４９０の２個以上を一つのユニットに統合することができる。無線通信部４１０、Ａ／Ｖ（Ａｕｄｉｏ／Ｖｉｄｅｏ）入力部４２０、ユーザー入力部４３０、センシング部４４０、出力部４５０、メモリ４６０、インターフェース部４７０、制御器（制御部）４８０及び電源供給部４９０の一部は２個以上のより小さいユニットに分割することもできる。
【００７０】
無線通信部４１０は、放送受信モジュール４１１、移動通信モジュール４１３、無線インターネットモジュール４１５、近距離通信モジュール４１７及び位置情報システム（ＧＰＳ）を含むことができる。
【００７１】
放送受信モジュール４１１は、放送チャンネルを介して外部の放送管理サーバーから放送信号及び／又は放送と関連した情報を受信する。前記放送チャンネルは、衛星チャンネル、地上波チャンネルを含むことができる。前記放送管理サーバーは、放送信号及び／又は放送関連情報を生成して送信するサーバー、既に生成された放送信号及び／又は放送関連情報を受けて端末機に送信するサーバー、又は、既に生成された放送信号及び／又は既に生成された放送関連情報を受信して伝送するサーバーを意味することができる。
【００７２】
前記放送関連情報は、放送チャンネル情報、放送プログラム情報及び放送サービス提供者と関連した情報を含むことができる。前記放送信号は、ＴＶ放送信号、ラジオ放送信号、データ放送信号を含むだけでなく、ＴＶ放送信号又はラジオ放送信号にデータ放送信号が結合された形態の放送信号も含むことができる。前記放送関連情報は、移動通信網を介して端末４０に提供することができる。この場合、前記放送関連情報は、放送受信モジュール４１１よりは前記移動通信モジュール４１３によって受信することができる。前記放送関連情報は、多様な形態、例えば、ＤＭＢ（Ｄｉｇｉｔａｌ  Ｍｕｌｔｉｍｅｄｉａ  Ｂｒｏａｄｃａｓｔｉｎｇ）のＥＰＧ（Ｅｌｅｃｔｒｏｎｉｃ  Ｐｒｏｇｒａｍ  Ｇｕｉｄｅ）又はＤＶＢ−Ｈ（Ｄｉｇｉｔａｌ  Ｖｉｄｅｏ  Ｂｒｏａｄｃａｓｔ−Ｈａｎｄｈｅｌｄ）のＥＳＧ（Ｅｌｅｃｔｒｏｎｉｃ  Ｓｅｒｖｉｃｅ  Ｇｕｉｄｅ）などの形態で存在し得る。
【００７３】
前記放送受信モジュール４１１は、例えば、ＤＭＢ−Ｔ（Ｄｉｇｉｔａｌ  Ｍｕｌｔｉｍｅｄｉａ  Ｂｒｏａｄｃａｓｔｉｎｇ−Ｔｅｒｒｅｓｔｒｉａｌ）、ＤＭＢ−Ｓ（Ｄｉｇｉｔａｌ  Ｍｕｌｔｉｍｅｄｉａ  Ｂｒｏａｄｃａｓｔｉｎｇ−Ｓａｔｅｌｌｉｔｅ）、ＭｅｄｉａＦＬＯ（Ｍｅｄｉａ  Ｆｏｒｗａｒｄ  Ｌｉｎｋ  Ｏｎｌｙ）、ＤＶＢ−Ｈ（Ｄｉｇｉｔａｌ  Ｖｉｄｅｏ  Ｂｒｏａｄｃａｓｔ−Ｈａｎｄｈｅｌｄ）、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔ−Ｔｅｒｒｅｓｔｒｉａｌ）などのデジタル放送システムを用いてデジタル放送信号を受信することができる。もちろん、前記放送受信モジュール４１１は、上述したデジタル放送システムだけでなく、他の放送システムに適するように構成することもできる。
【００７４】
放送受信モジュール４１１は、ＤＭＢ−Ｔ、ＤＭＢ−Ｓ、ＭｅｄｉａＦＬＯ、ＤＶＢ−Ｈ、ＩＳＤＢ−Ｔなどの多様な放送システムを用いて放送信号を受信することができる。また、放送受信モジュール４１１は、本明細書に示した他の放送システムのほぼ全てのタイプに対して適するように構成することができる。
【００７５】
放送受信モジュール４１１を介して受信された放送信号及び／又は放送関連情報は、メモリ４６０に格納することができる。
【００７６】
移動通信モジュール４１３は、移動通信網を介して基地局、外部の端末（ｅｘｔｅｒｎａｌ  ｓｔａｔｉｏｎ）、サーバーのうち少なくとも一つ以上（から／に）無線信号を受信又は伝送することができる。前記無線信号は、端末４０が音声呼信号、ビデオ呼信号又は文字／マルチメディアメッセージを送受信するかどうかによって多様なタイプのデータを含むことができる。
【００７７】
無線インターネットモジュール４１５は、無線インターネット接続のためのモジュールを意味するもので、端末機４０に内蔵又は外装することができる。
【００７８】
近距離通信モジュール４１７は、近距離通信のためのモジュールを意味する。近距離通信（ｓｈｏｒｔ  ｒａｎｇｅ  ｃｏｍｍｕｎｉｃａｔｉｏｎ）技術として、ブルートゥース、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）などを用いることができる。
【００７９】
位置情報システムモジュール４１９は、移動端末機の位置を獲得するためのモジュールであって、その代表的な例としてはＧＰＳ（Ｇｌｏｂａｌ  Ｐｏｓｉｔｉｏｎ  Ｓｙｓｔｅｍ）モジュールがある。
【００８０】
Ａ／Ｖ（Ａｕｄｉｏ／Ｖｉｄｅｏ）入力部４２０は、オーディオ信号又はビデオ信号を受信するためのものである。Ａ／Ｖ（Ａｕｄｉｏ／Ｖｉｄｅｏ）入力部４２０は、一つ以上のカメラ４２１とマイクロホン４２３などを含むことができる。カメラ４２１は、画像通話モード又は撮影モードでイメージセンサーによって得られる静止映像又は動画などの画像フレームを処理する。カメラ４２１によって処理された画像フレームは、ディスプレイ部４５１に表示することができる。
【００８１】
カメラ４２１で処理された画像フレームは、メモリ１６０に格納したり、無線通信部４１０を介して端末４０の外部に伝送することができる。端末４０は２以上のカメラ４２１を含むこともできる。
【００８２】
マイクロホン４２３は、通話モード、録音モード、又は音声認識モードなどでマイクロホンによって外部の音響信号を受け、これを電気的な音声データに処理する。通話モードで、電気的音響データを移動通信基地局に継続して伝送可能なデータに変換できる移動通信モジュール４１３は、変換によって得たデータを出力する。マイクロホン４２３は、外部の音響信号を受ける過程で発生する雑音を除去するための多様な雑音除去アルゴリズムを使用することができる。
【００８３】
ユーザー入力部４３０は、ユーザーが端末機４０の動作制御のための入力する入力データを発生させる。ユーザー入力部４３０は、キーパッド、ドームスィッチ、タッチパッド（静圧／静電）、ゾグホイール、ゾグスイッチなどに具現することができる。すなわち、ユーザー入力部４３０は、タッチパッドとして具現され、ディスプレイモジュール４５１と互いにレイヤー構造を形成し、ディスプレイモジュール４５１はタッチスクリーンと称することができる。
【００８４】
センシング部４４０は、端末機４０の開閉状態、位置、ユーザー接触有無などのような現在の状態を決定する。また、センシング部４４０は、端末機４０の動作を制御するためのセンシング信号を発生させる。
【００８５】
例えば、端末機４０がスライドフォン形態である場合、スライドフォンの開閉可否をセンシングすることができる。また、センシング部４４０は、電源供給部４９０の電源供給可否、インターフェース部４７０の外部機器への結合可否などを決定することもできる。
【００８６】
センシング部４４０は加速センサー４４３を含むことができる。各加速センサー４４３は、加速変化を電気信号に変換するための装置の形態である。最近のＭＥＭＳ（Ｍｉｃｒｏ−ＥｌｅｃｔｒｏＭｅｃｈａｎｉｃａｌ  Ｓｙｓｔｅｍ）技術の発展とともに、加速センサー４４３は広く多様な目的で多様な生産品で使用することができる。例えば、各加速センサーは、コンピューターゲームのための入力装置として使用することができ、コンピューターゲームをするときに人間の手の動きをセンシングすることができる。
【００８７】
互いに異なる軸方向を示す２又は３以上の加速センサー４４３は、端末４０に設置することができる。これと異なり、Ｚ軸のみを示す一つの加速センサー４４３を端末４０に設置することもできる。
【００８８】
出力部４５０は、オーディオ信号、ビデオ信号及びアラーム信号を出力することができる。そして、出力部４５０は、ディスプレイモジュール４５１、音響出力モジュール４５３及びアラームモジュール４５５を含むことができる。
【００８９】
ディスプレイモジュール４５１は、端末４０で処理される多様な情報を表示（出力）する。例えば、端末機４０が通話モードである場合、ディスプレイモジュール４５１は、電話をかけたり受けるためにＵＩ（Ｕｓｅｒ  Ｉｎｔｅｒｆａｃｅ）又はＧＵＩ（Ｇｒａｐｈｉｃ  Ｕｓｅｒ  Ｉｎｔｅｒｆａｃｅ）を表示する。端末機４０が画像通話モード又は撮影モードである場合、ディスプレイモジュール４５１は撮影又は／及び受信された映像又はＵＩ、ＧＵＩを表示する。
【００９０】
ディスプレイモジュール４５１及びユーザー入力部４３０は、互いにレイヤー構造を形成してタッチスクリーンとして具現することができる。ディスプレイモジュール４５１は、出力装置のみならず入力装置としても使用することができる。ディスプレイモジュール４５１がタッチスクリーンとして具現される場合、ディスプレイモジュール４５１は、タッチスクリーンパネル及びタッチスクリーンパネル制御器を含むことができる。
【００９１】
タッチスクリーンパネルは、端末機４０の外部に付着された透明パネルであって、端末機４０の内部バスに連結することができる。タッチスクリーンパネルは、タッチスクリーンパネルがユーザーによってタッチされたかどうかをモニタリングする。タッチスクリーンパネルにタッチ入力が検出されると、タッチスクリーンパネルは、タッチスクリーンパネル制御器に入力されたタッチに該当する多数の信号を伝送する。
【００９２】
タッチスクリーンパネル制御器は、タッチスクリーンパネルによって伝送された各信号を処理し、処理された各信号を制御部４８０に伝送する。制御部４８０は、タッチ入力が生成されたか、タッチスクリーンパネル制御器から伝送された処理された各信号に基づいてタッチスクリーンパネルのどの部分がタッチされたかを決定する。
【００９３】
上述したように、ディスプレイモジュール４５１及びユーザー入力部４３０は、互いにレイヤー構造を形成してタッチスクリーンとして具現することができる。ディスプレイモジュール４５１は、出力装置のみならず入力装置としても使用することができる。ディスプレイモジュール４５１は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ、３次元（３Ｄ）ディスプレイのうち少なくとも一つ以上を含むことができる。
【００９４】
端末４０は、２以上のディスプレイモジュール４５１を含むことができる。例えば、端末４０は、外部ディスプレイモジュール及び内部ディスプレイモジュールを含むことができる。
【００９５】
音響出力モジュール４５３は、呼受信モード、通話モード、録音モード、音声認識モード、又は放送受信モード時に無線通信部４１０によって受信されたり、メモリ４６０に格納されたオーディオデータを出力することができる。また、音響出力モジュール４５３は、端末機４０で行われる機能（例えば、呼信号受信、メッセージ受信など）と関連した多様な音響信号を出力することもある。このような音響出力モジュール４５３にはスピーカー、ブザーなどを含むことができる。
【００９６】
アラームモジュール４５５は、端末機４０のイベント発生を知らせるための信号を出力する。端末機４０で発生するイベントの例としては、呼信号受信、メッセージ受信、キー信号受信などがある。アラームモジュール４５５で出力するアラーム信号の例としては、ビデオ信号やオーディオ信号以外の他の形態、例えば、振動でイベント発生を知らせるための信号がある。
【００９７】
アラームモジュール４５５は、呼信号又はメッセージを受信すると、直ぐに振動信号を出力することができる。また、アラームモジュール４５５は、キー信号を受信することができ、キー信号に対するフィードバック信号として振動信号を出力することができる。
【００９８】
アラームモジュール４５５で振動信号が出力されると、ユーザーはイベントが発生したことを認識することができる。イベント発生をユーザーに知らせるための信号は、ディスプレイモジュール４５１又は音響出力モジュール４５３で出力することができる。
【００９９】
メモリ部４６０は、制御部４８０の動作（処理及び制御）のための多様なプログラムを格納することができる。また、メモリ部４６０は、電話帳、メッセージ、オーディオ、静止映像、動画などのデータを臨時的に格納することもできる。
【０１００】
メモリ部４６０は、フラッシュメモリタイプの格納媒体、ハードディスクタイプの格納媒体、マルチメディアカードマイクロタイプの格納媒体、カードタイプのメモリ（例えば、ＳＤ（Ｓｅｃｕｒｅ  Ｄｉｇｉｔａｌ又はＸＤ（ｅｘｔｒｅａｍ  ｄｉｇｉｔａｌ）メモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）のうち少なくとも一つのタイプの格納媒体を含むことができる。端末機４０は、インターネット上で前記メモリ４６０の格納機能を行うウェブストレージ（ｗｅｂ  ｓｔｏｒａｇｅ）と関連して動作することもできる。
【０１０１】
インターフェース部４７０は、端末機４０に連結可能な外部機器とのインターフェースである。インターフェース部４７０は、有／無線ヘッドセットポート、外部充電器ポート、有／無線データポート、メモリカードポート又はユーザー認証モジュール（Ｕｓｅｒ  Ｉｄｅｎｔｉｆｙ  Ｍｏｄｕｌｅ、ＵＩＭ）／加入者認証モジュール（Ｓｕｂｓｃｒｉｂｅｒ  Ｉｄｅｎｔｉｆｙ  Ｍｏｄｕｌｅ、ＳＩＭ）カードのようなカードソケット、音響入力／出力（Ｉ／Ｏ）ターミナル、ビデオＩ／Ｏターミナル又はイヤホンであり得る。
【０１０２】
インターフェース部４７０は、外部機器からデータを受信したり、外部機器によって動力を受けることができる。インターフェース部４７０は、端末機４０で外部機器から提供されたデータを他のコンポーネントに伝送したり、他のコンポーネントから提供されたデータを外部機器に伝送することができる。
【０１０３】
制御部４８０は、端末機４０の全般的な動作を制御することができる。例えば、制御部４８０は、音声通話、データ通信、画像通話などのための関連した制御及び処理を行う。制御部４８０は、マルチメディア再生のためのマルチメディアプレイモジュール４８１を含むこともできる。マルチメディアプレイモジュール４８１は、制御部４８０内に具現することもでき、制御部４８０と別途にハードウェア機器として具現することもできる。これと異なり、マルチメディアプレイモジュール４８１はソフトウェアプログラムとして具現することができる。
【０１０４】
電源供給部４９０は、外部電力供給源又は内部電力供給源によって電力を受け、端末４０で他のコンポーネントに電力を供給する。
【０１０５】
これと異なる具現例として、特定ロジッグ動作は異なる順序で行われたり、変更されたり除去され、本発明の各実施例を具現することができる。また、上述した論理に各動作を追加することができ、依然として本発明の分類された各具現に符合する。
【０１０６】
ここで説明する多様な実施例は、ソフトウェア、ファームウェア、ハードウェア又はこれらが結合されたものを生成するための標準プログラミング及び／又はエンジニアリング技術を用いて方法、装置又は製造品として具現することができる。本明細書で記述された「製造品」（ａｒｔｉｃｌｅ  ｏｆ  ｍａｎｕｆａｃｔｕｒｅ）という用語は、ハードウェアロジッグ（例えば、集積回路チップ、ＦＰＧＡｓ（ｆｉｅｌｄ  ｐｒｏｇｒａｍｍａｂｌｅ  ｇａｔｅ  ａｒｒａｙｓ）、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）など）又はコンピューター読み取り可能な媒体（例えば、磁気格納媒体（例えば、ハードディスクドライブ、フロッピー（登録商標）ディスク、テープなど）、光格納媒体（例えば、ＣＤ−ＲＯＭ、光ディスクなど））、揮発性及び非揮発性メモリ装置（例えば、ＥＥＰＲＯＭｓ、ＲＯＭｓ、ＰＲＯＭｓ、ＲＡＭｓ、ＤＲＡＭｓ、ＳＲＡＭｓ、ファームウェア、プログラマブル論理など）に具現されたコード又はロジックと称して使用することができる。コンピューター読み取り可能な媒体で、コードが接続されてプロセッサによって実行される。
【０１０７】
一つの実施例において、コードは、伝送メディアを介して又はネットワーク上でファイルサーバーから接近しやすい。この場合、一つのコードが具現される製造品は、ネットワーク伝送線などの伝送メディア、無線伝送メディア、空間、無線電波、赤外線信号などを介した信号伝播を含むことができる。もちろん、当業者にとっては、このような構成に多くの変更があり得ることが自明である。製造品は、公知の任意の情報ベアリング媒体を含むことができる。
【０１０８】
図面に示したロジッグ具現は、特別な順序で発生するものとして特定動作を記述する。これと異なる具現で、特定ロジッグ動作は、他の順序で行われたり、変更されたり除去され、本発明の各実施例を具現することができる。また、上述した論理に各動作を追加することができ、依然として本発明の分類された各具現に符合する。
【０１０９】
上述した実施例及び各特徴は、例示的なものに過ぎなく、本発明を制限するものではない。本発明は他の形態の装置とプロセスに適用することもできる。このような各実施例の説明は、例示的なものであって、特許請求の範囲を制限するものではない。本発明に係る実施例に対する他の実施例、変形した実施例、変化した各実施例は当業者にとって自明であろう。
【産業上の利用可能性】
【０１１０】
空間ランクインデックス（ＳＲＩ）チャンネルを介してフィードバック情報を伝送する方法は、ＩＥＥＥ  ８０２、３ＧＰＰ  ＬＴＥ、ＬＴＥ−Ａなどの移動通信システムに適用可能である。
【図１】
2013501448.tif 000015
【図２】
2013501448.tif 000016
【図３】
2013501448.tif 000017
【図４】
2013501448.tif 000018
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
端末がランク情報を伝送する方法において、
空間ランクインデックス（Ｓｐａｔｉａｌ  Ｒａｎｋ  Ｉｎｄｅｘ、ＳＲＩ）の値を指示するランク情報を空間ランクインデックス（Ｓｐａｔｉａｌ  Ｒａｎｋ  Ｉｎｄｅｘ、ＳＲＩ）チャンネルを介して伝送することを含み、
前記空間ランクインデックスの値は、事前に定義されたコーディング方式を用いてエンコードされ、前記空間ランクインデックス値に対応するコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とするランク情報伝送方法。
【請求項２】
前記の事前に定義されたコーディング方式は、コードワード間の最小距離５を提供するように構成されたことを特徴とする、請求項１に記載のランク情報伝送方法。
【請求項３】
前記の事前に定義されたコーディング方式は（８，２）コードを利用し、前記「８」はコードワードの長さを示し、前記「２」は、前記コードワードでエンコードされた情報ビットの数を示すことを特徴とする、請求項１に記載のランク情報伝送方法。
【請求項４】
前記（８，２）コードはエラー訂正コードであることを特徴とする、請求項３に記載のランク情報伝送方法。
【請求項５】
前記コードワードは、
前記空間ランクインデックスの値が０であるときは（０，０，０，０，０，０，０，０）で、前記空間ランクインデックスの値が１であるときは（１，０，１，０，１，１，０，１）で、前記空間ランクインデックスの値が２であるときは（０，１，１，１，０，０，１，１）で、前記空間ランクインデックスの値が３であるときは（１，１，０，１，１，１，１，０）であることを特徴とする、請求項１に記載のランク情報伝送方法。
【請求項６】
端末がコードワードを生成する方法において、
空間ランクインデックスの値を示すコードワードを生成することを含み、
前記コードワードは、（３，２）単純コードの第１のコードワード及び（５，２）縮小ハミングコードの第２のコードワードが結合されて生成されることを特徴とするコードワード生成方法。
【請求項７】
前記コードワードは、
（０，０，０，０，０，０，０，０）、（１，０，１，０，１，１，０，１）、（０，１，１，１，０，０，１，１）又は（１，１，０，１，１，１，１，０）のうちいずれか一つであることを特徴とする、請求項６に記載のコードワード生成方法。
【請求項８】
前記（３，２）単純コードの第１のコードワードは、
（０，０，０）、（１，０，１）、（０，１，１）、又は（１，１，０）のうちいずれか一つであり、
前記（５，２）縮小ハミングコードの第２のコードワードは、
（０，０，０，０，０）、（０，１，１，０，１）、（１，０，０，１，１）、又は（１，１，１，１，０）のうちいずれか一つであることを特徴とする、請求項６に記載のコードワード生成方法。
【請求項９】
前記空間ランクインデックスの値は空間レイヤーの数に対応する値であることを特徴とする、請求項６に記載のコードワード生成方法。
【請求項１０】
前記コードワードは、
前記空間ランクインデックスの値が０であるときは（０，０，０，０，０，０，０，０）で、前記空間ランクインデックスの値が１であるときは（１，０，１，０，１，１，０，１）で、前記空間ランクインデックスの値が２であるときは（０，１，１，１，０，０，１，１）で、前記空間ランクインデックスの値が３であるときは（１，１，０，１，１，１，１，０）であることを特徴とする、請求項６に記載のコードワード生成方法。
【請求項１１】
ランク情報を伝送する端末装置において、
空間ランクインデックス（Ｓｐａｔｉａｌ  Ｒａｎｋ  Ｉｎｄｅｘ、ＳＲＩ）の値を指示するランク情報を空間ランクインデックス（Ｓｐａｔｉａｌ  Ｒａｎｋ  Ｉｎｄｅｘ、ＳＲＩ）チャンネルを介して伝送するように構成された送信機を含み、
前記空間ランクインデックスの値は、事前に定義されたコーディング方式を用いてエンコードされ、前記空間ランクインデックス値に対応するコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とする端末装置。
【請求項１２】
前記の事前に定義されたコーディング方式は、コードワード間の最小距離５を提供するように構成されたことを特徴とする、請求項１１に記載の端末装置。
【請求項１３】
前記の事前に定義されたコーディング方式は（８，２）コードを利用し、前記「８」はコードワードの長さを示し、前記「２」は、前記コードワードでエンコードされた情報ビットの数を示すことを特徴とする、請求項１１に記載の端末装置。
【請求項１４】
前記（８，２）コードはエラー訂正コードであることを特徴とする、請求項１３に記載の端末装置。
【請求項１５】
前記コードワードは、
前記空間ランクインデックスの値が０であるときは（０，０，０，０，０，０，０，０）で、前記空間ランクインデックスの値が１であるときは（１，０，１，０，１，１，０，１）で、前記空間ランクインデックスの値が２であるときは（０，１，１，１，０，０，１，１）で、前記空間ランクインデックスの値が３であるときは（１，１，０，１，１，１，１，０）であることを特徴とする、請求項１１に記載の端末装置。
【手続補正２】
【補正対象書類名】明細書
【補正対象項目名】００１０
【補正方法】変更
【補正の内容】
【００１０】
これら実施例及び他の実施例は、以下で添付の図面を参照して記述する各実施例の詳細な説明から当業者に容易に理解されるだろう。本発明は、開示した特定実施例に限定されるものではない。
本発明、例えば以下の項目を提供する。
（項目１）
端末が空間ランクインデックス（Ｓｐａｔｉａｌ  Ｒａｎｋ  Ｉｎｄｅｘ、ＳＲＩ）チャンネルを介してフィードバック情報を伝送する方法において、
空間ランクインデックスの値を決定すること；及び
事前に定義されたコーディングによって前記の決定された空間ランクインデックスの値を指示するフィードバック情報を前記空間ランクインデックスチャンネルを介して伝送すること；を含み、
前記事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とするランク情報伝送方法。
（項目２）
前記の事前に定義されたコーディングは最小距離５を提供するように構成されたことを特徴とする、項目１に記載のランク情報伝送方法。
（項目３）
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、項目１に記載のランク情報伝送方法。
（項目４）
端末がコードワードを生成／伝送する方法において、
空間ランクの値に関する情報を決定すること；及び
前記の決定された情報を示すコードワードを生成すること；を含み、
前記の生成することは、（３，２）単純コードの第１のコードワード及び（５，２）縮小ハミングコードの第２のコードワードを結合して生成することを含むことを特徴とするコードワード生成／伝送方法。
（項目５）
前記コードワードは、
（０，０，０，０，０，０，０，０）、（１，０，１，０，１，１，０，１）、（０，１，１，１，０，０，１，１）又は（１，１，０，１，１，１，１，０）のうちいずれか一つであることを特徴とする、項目４に記載のコードワード生成／伝送方法。
（項目６）
前記（３，２）単純コードの第１のコードワードは、
（０，０，０）、（１，０，１）、（０，１，１）、又は（１，１，０）のうちいずれか一つであり、
前記（５，２）縮小ハミングコードの第２のコードワードは、
（０，０，０，０，０）、（０，１，１，０，１）、（１，０，０，１，１）、又は（１，１，１，１，０）のうちいずれか一つであることを特徴とする、項目４に記載のコードワード生成／伝送方法。
（項目７）
前記空間ランクの値は、接続ネットワークによる使用のために端末に要請された特別レイヤーの数に関するものであることを特徴とする、項目４に記載のコードワード生成／伝送方法。
（項目８）
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、項目４に記載のコードワード生成／伝送方法。
（項目９）
空間ランクインデックス（Ｓｐａｔｉａｌ  Ｒａｎｋ  Ｉｎｄｅｘ、ＳＲＩ）チャンネルを介してフィードバック情報を伝送する端末装置において、
空間ランクインデックスの値を決定するように構成された制御部；及び
事前に定義されたコーディングによって前記の決定された空間ランクインデックスの値を指示するフィードバック情報を前記空間ランクインデックスチャンネルを介して伝送するように構成された送信機を含み、
前記事前に定義されたコーディングのコードワードは、（０，０，０，０，０，０，０，０）、（１，０，１，０，１，１，０，１）、（０，１，１，１，０，０，１，１）、又は（１，１，０，１，１，１，１，０）のうちいずれか一つであることを特徴とする端末装置。
（項目１０）
前記の事前に定義されたコーディングは最小距離５を提供するように構成されたことを特徴とする、項目９に記載の端末装置。
（項目１１）
前記コードワードは、
前記の決定された空間ランクインデックスの値が１であるときは（０，０，０，０，０，０，０，０）で、前記の決定された空間ランクインデックスの値が２であるときは（１，０，１，０，１，１，０，１）で、前記の決定された空間ランクインデックスの値が３であるときは（０，１，１，１，０，０，１，１）で、前記の決定された空間ランクインデックスの値が４であるときは（１，１，０，１，１，１，１，０）であることを特徴とする、項目９に記載の端末装置。
【国際調査報告】
2013501448.tif 000019
2013501448.tif 000020